(57)【特許請求の範囲】
【請求項１】
ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体の下位には支持用ナットを螺着したことを特徴とする床束。
【発明の詳細な説明】
【０００１】
【発明の属する技術分野】
本発明は、住宅などの建築物の床を支えるために、基礎である束石に立設して大引を支持する鋼製の床束に関する。
【０００２】
【従来の技術】
従来、床束として木材製のものが一般に使用されているが、木材製の床束は床高さ寸法通りに切断していく必要があって甚だ面倒であり、また微調整も困難であるために、最近では、螺子によって高さ調節を自在とした鋼製の床束が採用されるようになってきている。鋼製の床束は、図６に示すように、ベース板１０１上に螺子溝が螺刻された螺杆１０２を立設してなるベース部１０３と、前記螺杆１０２と逆方向に螺子溝が刻設された螺杆１０４の上端に略Ｌ字形状の大引受板１０５を固着してなる支持部１０６と、該支持部１０６と前記ベース部１０３とを連結する連結部１０７とから成り、連結部１０７を回転させることによって床束の高さを自在に調節できるようにしたものが一般的である。
【０００３】
【発明が解決しようとする課題】
しかしながら、上記従来の床束では、床束の高さ調整量が大きいときには連結部１０７を何回も回転させる必要があり、全ての床束に対してこのような作業を繰り返し行うことは非常に煩わしいだけでなく、時間もかかって作業能率もあまり良くない。
【０００４】
本発明は上記の点に鑑み、素早く高さ調整ができて作業能率の優れた床束を提供することを課題とする。
【０００５】
【課題を解決するための手段】
本発明は上記の課題を解決するために、ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体の下位には支持用ナットを螺着したことを特徴としている。
【０００６】
【発明の実施の形態】
本発明に係る床束によれば、管体内の螺杆に遊嵌された係止片をバネ体によって上方に押圧付勢して係止部を支点として回動させて傾斜させ、係止片の内周縁を螺杆の螺子溝に噛み込ませ、床束に荷重が加わると、係止片の内周縁が螺杆の螺子山に係止して管体の下降を阻止し、床束が縮小しないようにしている。
【０００７】
また、床束の係止片の操作部を押し下げると、係止片が係止部を支点として回動し、係止片の内周縁と螺杆の螺子山との係止が解除され、床束の伸長、縮小が自在に行える。
【０００８】
そこで、上記床束を使用して大引を支持するときには、先ず、管体上端の大引受板を大引に釘等で固定する。この大引には複数個の床束が適宜間隔で取付けられる。そして、これら床束の係止片の操作部を押し下げながら伸縮させて床束を適宜長さとし、床束のベース板を束石等の基礎上に据えて釘等で固定する。このとき、床束には大引の荷重が加わるが、前記したように、傾斜保持された係止片の内周縁が螺杆の螺子山に係止して大引を支持する。大引の最終の高さ調整は、支持用ナットを回転させながら上昇させて管体下面に当接させ、スパナ等で締め付けを行うことで管体を少しづつ押し上げて行う。
【０００９】
このように、上記床束は、係止片の操作部を押し下げると伸縮を自在に行うことができ、従来の螺子式の床束より素早く高さ調整を行えて作業能率を向上できる。
【００１０】
【実施例】
以下、本発明の実施例を図１乃至図５に基づいて説明する。
【００１１】
図中の１は床束のベース板であって、該ベース板１には適宜数の釘孔２を穿設すると共に、その中央部には所定長さの螺杆３を立設している。
【００１２】
４は上端に略Ｌ字形状をした大引受板５を、下端に螺杆３の外径より若干大径の丸孔６を穿設したバネ受体７を固着した管体であって、該管体４の丸孔６に螺杆３を挿入して伸縮自在としている。なお、螺杆３の先端には管体４内を摺動して揺動を防止するための摺動体８を固着している。また大引受板５には適宜数の釘孔９を穿設している。
【００１３】
１０は対向側面に操作部１０ａと係止部１０ｂを形成した舌付き座金よりなる係止片であって、該係止片１０は螺杆３に遊嵌させてその係止部１０ｂを管体４側面に穿設した透孔１１に係止させると共に、操作部１０ａを管体４側面に穿設した縦長孔１２に挿入して管体４外へと突出させる一方、螺杆３に装着したバネ体１３により係止片１０を上方に押圧付勢している。
【００１４】
係止片１０は、図４に示すように、バネ体１３により上方に押圧付勢されて係止部１０ｂを支点として操作部１０ａ側が上位となるように傾斜し、係止片１０の内周縁１０ｃを螺杆３の螺子溝に噛み込ませ、床束に荷重が加わっても係止片１０の内周縁１０ｃが螺杆３の螺子山に係止して管体４の下降を阻止できるようになっている。
【００１５】
また、図５に示すように、係止片１０の操作部１０ａを押し下げると、操作部１０ａが係止部１０ｂを支点にバネ体１３を縮ませながら縦長孔１２に沿って下方へと回動し、係止片１０の内周縁１０ｃと螺杆３の螺子山との係止が解除され、床束の縮小、伸長が自在に行えるようになっている。
【００１６】
１４は螺杆３の管体４下位に螺着した支持用ナットであって、管体４底面のバネ受体７に当接させて管体４を支持すると共に、スパナ等で締め付けることにより管体４を少しづつ押し上げて床束高さの微調整を行うものである。１５は管体４の下端に回動自在に設けたナットロックであって、前記支持用ナット１４に掛け止めしてナットの回動を防止している。
【００１７】
しかして、上記床束により床下の大引を支持するときには、先ず、床束の大引受板５を大引にあてがい、釘孔９に釘を打ち込んで固定する。この大引には複数個の床束が適宜間隔で取付けられる。そして、これら床束の係止片１０の操作部１０ａを押し下げて床束を適宜長さに伸縮調整しながら床束のベース板１を束石等の基礎上に据えて接着剤で貼着した後、釘孔２に釘を打ち込んで固定する。床束にて大引を支持すると、大引の荷重が加わるが、係止片１０の係止部１０ｂ側の内周縁１０ｃが螺杆３の螺子山に係止されて下降することはない。
【００１８】
次に、大引の最終の高さ調整を行うために、支持用ナット１４を回転させて管体４下端のバネ受体７に当接させ、支持用ナット１４をスパナ等で回動させて管体４を少しづつ押し上げて高さ調整を行う。この高さ調整が終わると、支持用ナット１４が緩まないように緩み防止用のナットロック１５を掛ける。
【００１９】
このように、上記床束によれば、床束の係止片の操作部を押し下げれば自在に伸縮することができ、これによって素早く高さ調整ができて作業効率が向上する。
【００２０】
【発明の効果】
以上のように本発明に係る床束によれば、ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体の下位には支持用ナットを螺着したので、床束の係止片の操作部を押し下げれば自在に伸縮させることができ、素早く高さ調整を行えて作業能率を向上できる。
【図面の簡単な説明】
【図１】本発明に係る床束の一部切り欠き正面図である。
【図２】図１の側面図である。
【図３】図１のＡ−Ａ矢視断面図である。
【図４】図１の要部拡大図である。
【図５】図４の係止片の操作部を押し下げた状態を示す図である。
【図６】従来の床束を示す図である。
【符号の説明】
１…べ−ス板                  ３…螺杆
４…管体                      ５…大引受板
７…バネ受部                  ８…摺動体
１０…係止片                １０ａ…操作部
１０ｂ…係止部              １０ｃ…内周縁
１１…透孔                    １２…縦長孔
１３…バネ体                  １４…支持用ナット
【図１】
0004310007.tif 000002
【図２】
0004310007.tif 000003
【図３】
0004310007.tif 000004
【図４】
0004310007.tif 000005
【図５】
0004310007.tif 000006
【図６】
0004310007.tif 000007